(57)【要約】【課題】溶接用視覚センサとレーザセンサを１つのセンサヘッドに搭載して、溶接トーチのワークへのアクセス性を著しく損ねることなく、溶接用視覚センサとレーザセンサを互いに補完して理想的な溶接制御システムを構築すると共に、溶接前の開先形状の事前ティーチングを不要とする。【解決手段】被溶接物１０に対し、少なくともレーザ投光器３０、レーザセンサ用フィルタ３２及び画像撮影カメラ３６からなるレーザセンサと、少なくとも視覚センサ用フィルタ３４及び画像撮影カメラ３６からなる視覚センサの複合センシングシステムを用い、溶接中に視覚センサとレーザセンサを交互に機能させることによって溶接制御を行なう。【選択図】図１
2009195977.tif 000002
【特許請求の範囲】
【請求項１】
被溶接物に対し、少なくともレーザ投光器、レーザセンサ用フィルタ及び画像撮影カメラからなるレーザセンサと、少なくとも視覚センサ用フィルタ及び画像撮影カメラからなる視覚センサの複合センシングシステムを用い、
溶接中に視覚センサとレーザセンサを交互に機能させることによって溶接制御を行なうことを特徴とする自動溶接制御方法。
【請求項２】
前記複合センシングシステムが、レーザセンサ用フィルタと視覚センサ用フィルタが交換可能に機能された単一の画像撮影カメラを含むことを特徴とする請求項１に記載の自動溶接制御方法。
【請求項３】
前記複合センシングシステムを、溶接アーク直前を見込む状態ではレーザセンサとして使用し、センサ情報を溶接インプロセスで計測し記憶して、これらの情報に基づきフィードフォワード制御で溶接を行ない、溶接アークを見込む状態では視覚センサとして使用し、溶接中に生じた溶接状況の変化を溶接インプロセスで検出して、それらの情報に基づきリアルタイムでフィードバック制御することを特徴とする請求項１又は２に記載の自動溶接制御方法。
【請求項４】
前記溶接中に生じた溶接状況の変化が、溶接トーチの開先倣いのずれであり、該ずれを視覚センサ情報である溶接電極と溶融池の位置関係の変化で検出し、それらをリアルタイムでフィードバック制御することを特徴とする請求項３に記載の自動溶接制御方法。
【請求項５】
前記溶接中に生じた溶接状況の変化が、初層溶接時に必要な適正な溶着量の変化であり、視覚センサ情報である初層溶接時の溶融池の高さ変化に基づき溶着量の追加的な補正量を求めて、リアルタイムでフィードバック制御することを特徴とする請求項３に記載の自動溶接制御方法。
【請求項６】
少なくともレーザ投光器、レーザセンサ用フィルタ及び画像撮影カメラからなるレーザセンサと、
少なくとも視覚センサ用フィルタ及び画像撮影カメラからなる視覚センサと、
該視覚センサとレーザセンサを、溶接中に溶接アーク直前を見込む状態と溶接アークを見込む状態で交互に機能させるための手段と、
前記レーザセンサ及び視覚センサによって得られた画像から溶接制御データを算出する画像処理装置と、
溶接トーチを備えた自動溶接機と、
前記溶接制御データに基づいて、該自動溶接機を制御する手段と、
を備えたことを特徴とする自動溶接装置。
【請求項７】
前記レーザセンサ用フィルタと視覚センサ用フィルタが交換可能に機能された単一の画像撮影カメラを備えたことを特徴とする請求項６に記載の自動溶接装置。
【請求項８】
前記画像撮影カメラとレーザ投光器及び溶接トーチが、全て同一の梁に取り付けられ、前記画像撮影カメラが、レーザ投光器の投光位置及び溶接トーチの溶接位置を撮影可能とされていることを特徴とする請求項６又は７に記載の自動溶接装置。
【発明の詳細な説明】
【技術分野】
【０００１】
本発明は、自動溶接制御方法及び自動溶接装置に係り、特に、溶接用レーザセンサと溶接用視覚センサを併用して、高精度の溶接制御を行なうことが可能な自動溶接制御方法、及び、この自動溶接制御方法を採用した自動溶接装置に関する。
【背景技術】
【０００２】
アーク溶接を行なう際に、溶接トーチの溶接線倣いや溶融池の大きさ等を適正に保つように溶接条件を適応制御するため、ＣＣＤカメラ等を有する視覚センサを使用して溶接部とその近傍の画像を撮像するようにしている。
【０００３】
発明者は、特許文献１に、溶融池、アークなどの先を放っているものを捉えるための溶接用視覚センサを提案している。
【０００４】
又、発明者は、特許文献２で、視覚センサで被溶接部材の溶融池とその近傍を撮影し、撮影した画像から溶融池の輪郭を抽出し、抽出した輪郭から溶融池の特異点を抽出し、抽出した特異点から溶接線に対する電極の倣い位置ずれの有無と倣い位置ずれ方向及び狙い位置ずれ量を算出し、算出した電極の位置ずれ量と電極の倣い位置ずれ方向に基づいて溶接トーチの位置を制御する技術を提案している。
【０００５】
更に、発明者の一人は、特許文献３で、被溶接部材の溶融池とその近傍を視覚センサで撮影し、撮影した画像から溶融池の輪郭を抽出し、抽出した輪郭から溶融池先端部幅を算出し、算出した溶融池先端部幅によりルートギャップの変化量を算出し、算出したルートギャップの変化量に基づいてトーチ揺動幅の制御量と溶接速度の制御量を算出し、算出したトーチ揺動幅と溶接速度の制御量で揺動幅と溶接速度を制御する技術を提案している。
【０００６】
又、発明者の一人は、特許文献４で、視覚センサで撮影した被溶接部材の溶融池及びその近傍の画像からトーチ揺動の左右端部の画像を抽出し、抽出した左右端部の画像を合成して仮想溶融池画像を有する合成画像を作成し、仮想溶融池画像の左端点と右端点との間の距離を揺動幅特徴量として算出して開先幅変動に対するトーチ揺動パターンの追従（適応）制御を適切に行ない、又、電極画像の先端中心点から仮想溶融池画像の左端点と右端点の中央点までの距離を揺動中心特徴量として算出し、算出した揺動中心特徴量を用いて開先中心線倣い制御を適切に行なう技術を提案している。
【０００７】
又、特許文献５には、溶接状況を撮像して、開先形状とその中に置かれた仮付けビードの高さを画像処理によって計算処理することにより、仮付けビードの高さを計算する一方、事前に仮付けビードの始端部、終端部、及び仮付けビード部上での前記ビード高さに応じた最適な溶接条件をデータベース化しておき、これをそれぞれの仮付け位置のビード高さに応じてデータベースから最適な溶接条件を選定し、その値で溶接させる技術が開示されている。
【０００８】
【特許文献１】特開２００６−７３０３号公報
【特許文献２】特開２００６−５５８５８号公報
【特許文献３】特開２００６−２８１２８２号公報
【特許文献４】特開２００７−１８５７００号公報
【特許文献５】特開平１１−５１６４号公報
【発明の開示】
【発明が解決しようとする課題】
【０００９】
溶接用視覚センサを使用する利点は、溶接中に溶融池及びその真上の溶接電極を直接撮影し、その画像を通じて溶接電極の開先内での位置が適正かどうかを直接検出できるため、例え溶接電極の曲がり癖が変化しても、溶接トーチの開先倣い精度が精度良く行える点、及び、開先形状の変化が間接的にリアルタイムで推定できるので、溶接条件の適応制御も行なえる点にある。
【００１０】
しかしながら、溶融池自身は流体であるので、様々な外乱を受け易いと同時に、アーク光の影響で溶融池画像の輝度も変化し易いため、溶融池画像の安定性があまり良くない。そのため、開先寸法変化量の計測精度があまり高く期待できない等の問題点を有する。
【００１１】
又、開先内に仮付けビードがある場合には、仮に視覚センサが仮付けビードの有無を検出できたとしても、通常、視覚センサで仮付けビードの有無を検出したときには、溶接アークが既に仮付けビードの上に登っているか、あるいは、仮付けビードから離れているため、このときに例え溶接条件を瞬時に変えられても、仮付けビードの始点部と終点部に溶接欠陥を残してしまう恐れがあった。
【００１２】
このような問題点を解決するため、溶接用レーザセンサを同時に使用する方法が考えられる。溶接用レーザセンサは、一般に、フライイングスポットレーザ光かスリットレーザ光を溶接位置前方の開先に照射して、その開先の光切断像をカメラで撮影し、画像処理を通じて開先形状の変化を直接検出するものである。従って、適正なカメラ、フィルタ及び画像処理技術等を使用すれば、比較的容易に高い検出精度が得られる。レーザセンサを利用するもう１つの利点は、溶接条件がフィードフォワード制御で制御できることである。例えば、開先内に仮付けビードがある場合、レーザセンサにより仮付けビードの有無を事前に察知することができるため、アークが仮付けビード部を通過する時に、溶接条件をタイミング良く変化させて、仮付けビードの始点部と終点部に溶接欠陥を残さずに溶接することができる。
【００１３】
溶接用レーザセンサは開先倣い制御にも良く使われるが、溶融前に事前認識する方法では、計測と制御の間にタイムラグがあるため、溶融中の変化には対応できず、曲線の開先倣い制御では使い難いという問題点がある。又、たとえ直線の開先倣い制御でも、溶接電極とレーザセンサとの間の相対位置は固定されているか、又は、その変化量がリアルタイムで把握できる必要がある。何故ならば、レーザセンサでは、溶接電極が撮影視野に入っていないため、センサと電極間の相対位置をリアルタイムで計測できないからである。従って、センサと電極間の相対位置にランダムな変動があると、その変化分が結果として開先倣い制御の誤差として残ってしまうという問題点を有していた。
【００１４】
上記のように、溶融池、アーク等の光を放っているものを捉える溶接用視覚センサと、反射光なので、どこの形状でも捉えられるレーザセンサは、それぞれの得意と不得意分野がある。従って、両方を同時に使用すれば、互いに補完でき、理想的な溶接制御システムが構築できる。しかし、両方を同時に使用すると、２つのセンサシステムが必要であり、コスト的に割高になると同時に、溶接トーチの近傍に２つのセンサヘッドを装着しなければならないので、溶接トーチのワークへのアクセス性を著しく損ねる恐れがあった。
【００１５】
本発明は、前記従来の問題点を解消するべくなされたもので、レーザセンサと視覚センサの複合センシングシステムを用いて、溶接前の開先形状の事前ティーチングが省略可能な自動溶接制御方法及び自動溶接装置を提供することを課題とする。
【課題を解決するための手段】
【００１６】
本発明は、被溶接物に対し、少なくともレーザ投光器、レーザセンサ用フィルタ及び画像撮影カメラからなるレーザセンサと、少なくとも視覚センサ用フィルタ及び画像撮影カメラからなる視覚センサの複合センシングシステムを用い、溶接中に視覚センサとレーザセンサを交互に機能させることによって溶接制御を行なうことを特徴とする自動溶接制御方法により、前記課題を解決したものである。
【００１７】
前記複合センシングシステムは、レーザセンサ用フィルタと視覚センサ用フィルタが交換可能に機能された単一の画像撮影カメラを含むことができる。
【００１８】
前記複合センシングシステムを、溶接アーク直前を見込む状態ではレーザセンサとして使用し、センサ情報を溶接インプロセスで計測し記憶して、これらの情報に基づきフィードフォワード制御で溶接を行ない、溶接アークを見込む状態では視覚センサとして使用し、溶接中に生じた溶接状況の変化を溶接インプロセスで検出して、それらの情報に基づきリアルタイムでフィードバック制御することができる。
【００１９】
ここで、前記溶接中に生じた溶接状況の変化が、溶接トーチの開先倣いのずれである場合は、該ずれを視覚センサ情報である溶接電極（ワイヤとも称する）と溶融池の位置関係の変化で検出し、それらをリアルタイムでフィードバック制御することができる。
【００２０】
あるいは、前記溶接中に生じた溶接状況の変化が、初層溶接時に必要な適正な溶着量の変化である場合は、視覚センサ情報である初層溶接時の溶融池の高さ変化に基づき溶着量の追加的な補正量を求めて、リアルタイムでフィードバック制御することができる。
【００２１】
本発明は、又、少なくともレーザ投光器、レーザセンサ用フィルタ及び画像撮影カメラからなるレーザセンサと、少なくとも視覚センサ用フィルタ及び画像撮影カメラからなる視覚センサと、該視覚センサとレーザセンサを、溶接中に溶接アーク直前を見込む状態と溶接アークを見込む状態で交互に機能させるための手段と、前記レーザセンサ及び視覚センサによって得られた画像から溶接制御データを算出する画像処理装置と、溶接トーチを備えた自動溶接機と、前記溶接制御データに基づいて、該自動溶接機を制御する手段と、を備えたことを特徴とする自動溶接装置を提供するものである。
【００２２】
ここで、前記レーザセンサ用フィルタと視覚センサ用フィルタが交換可能に機能された単一の画像撮影カメラを備えることができる。
【００２３】
又、前記画像撮影カメラとレーザ投光器及び溶接トーチを、全て同一の梁に取り付け、前記画像撮影カメラが、レーザ投光器の投光位置及び溶接トーチの溶接位置を撮影可能とすることができる。
【発明の効果】
【００２４】
本発明に係る複合センシングシステムでは、溶融池、アーク等の光を放っているものを捉える視覚センサと、反射光により何処の形状でも捉えられるレーザセンサを溶接中に交互に機能させる。これを実現するために、複合センシングシステムのセンサーヘッドを、例えば一つのスライダに取付け、このスライダを溶接方向に沿って前後に動かさせる。
【００２５】
スライダが、例えば一番前の溶接アーク直前を見込む位置に来た時には、この複合センシングシステムをレーザセンサとして使用し、開先寸法や開先位置、開先内の仮付けビードなどのセンサ情報を溶接インプロセスで計測し記憶しておき、そして、これらの計測データに基づき溶接条件や開先倣いなどをフィードフォーワード制御する。
【００２６】
一方、スライダが、例えば一番後ろの溶接アーク直前を見込む位置に来た時には、この複合センシングシステムを視覚センサとして使用し、レーザセンサによるフィードフォーワード制御の誤差、たとえばトーチの開先倣いずれや、溶接熱による開先幅の変化または目違い隙間への溶融金属のランダム的な流出による溶着量の変化などを溶接インプロセスで検出して、それらの計測データに基づいてリアルタイムでフィードバック制御する。
【００２７】
従って、視覚センサとレーザセンサのそれぞれの得意分野を生かし、互いに補完して、理想的な溶接制御システムを構築できる。
【００２８】
更に視覚センサとレーザセンサを複合化したので、センサヘッドや計測システムも１つだけでよく、画像処理もソフトウェアで対応できるので、溶接トーチのワークヘのアクセス性を損ねたり、画像処理装置のハードウェアを複雑化することもない。
【００２９】
更に、溶接前の開先形状の事前ティーチングも不要である。
【発明を実施するための最良の形態】
【００３０】
以下図面を参照して、本発明の実施形態を詳細に説明する。
【００３１】
図１に本発明に係る複合センシングシステムの実施形態を溶接中にレーザセンサとして使用する状態を示し、図２に、同じく溶接中に視覚センサとして使用する状態を示す。
【００３２】
本実施形態は、レーザ投光器３０、レーザセンサ用フィルタ３２及び画像撮影カメラ３６からなるレーザセンサと、視覚センサ用フィルタ３４及び前記画像撮影カメラ３６からなる視覚センサとを備え、前記画像撮影カメラ３６は、レーザセンサ用フィルタ３２と視覚センサ用フィルタ３４が交換可能に機能された単一の画像撮影カメラとされている。
【００３３】
前記レーザ投光器３０及び溶接トーチ２２は、溶接ヘッド２０に設けた梁４０の一端（図の左端）に固定され、前記画像撮影カメラ３６を含むセンサヘッドは、前記梁４０上を溶接方向（図の右方向）に沿って前後に移動できるスライダ４２の先端（図の右端）に取付けられている。
【００３４】
このスライダ４２の前後動作は、溶接トーチ２２の揺動動作と連動しており、トーチ２２が揺動中心を通過する時には、スライダ４２が丁度一番伸びた状態で、トーチ２２が揺動端部に到達した時には、スライダ４２が一番縮んだ状態となるようにする。スライダ４２を駆動するための手段は、例えばエアーシリンダ（図示省略）とすることができる。なお、モータや電磁石を使用することも可能である。
【００３５】
一方、トーチ２２の揺動が無い場合は、スライダ４２の動作は自主的に決めればよい。
【００３６】
複合センシングシステムのレーザセンサと視覚センサとの切替は、スライダ４２の動作に同期する。即ち、スライダ４２を一番伸ばした時には、レーザ投光器３０を素早く照射し、カメラ３６を撮影させる。このときの複合センシングシステムはレーザセンサとして機能する。
【００３７】
ただし、複合センシングシステムを視覚センサあるいはレーザセンサとして使用するときには、それぞれに合ったバンドパスフィルタを使用した方が望ましい。このために、ここで９０度回転のできるサイコロフィルタセット３１をカメラレンズ前に設置する。このフィルターセット３１の動きはスライダ動作と同期し、スライダ４２が一番伸びた状態では、レーザセンサ用バンドパスフィルタ３２をカメラ３６の前に回し、スライダ４２が一番縮んだ状態では、視覚センサ用バンドパスフィルタ３４をカメラ３６の前に回しておく。
【００３８】
サイコロフィルタセット３１を回すための手段は、例えば電磁石やモータを使用すればよい。
【００３９】
図において、１０は被溶接物、２４は溶接電極、２６は溶接条件制御装置、２８はリモコン、３０Ｓは照明用レーザ（スリット）光、３８は画像処理装置、５２は複合センシングシステム制御装置である。
【００４０】
図３に本実施形態の計測手順を示す。左側は図１に示した如くレーザセンサとして使用するときの計測手順、右側は図２に示した如く視覚センサとして使用するときの計測手順であり、切替は計測モード信号で制御する（ステップ１０２）。
【００４１】
この複合センシングシステムをレーザセンサとして使用するときには、図１に示した如く、複合センシングシステム制御装置５２によりスライダ４２を前進させ、同時にフィルタセット３１も９０°回して、レーザセンサ用（バンドパス）フィルタ３２をカメラ３６の前に設置する。これで複合センシングシステムはレーザセンサとなる。
【００４２】
ここで、溶接の制御は先ず、レーザセンサ情報に基づきフィードフォーワード的な方法で行う。制御は、主として溶接条件の適応制御である。つまり、レーザセンサから得た開先内に仮付けビードの有無や開先幅、開先深さおよびルートギャップ等の大きさより溶接条件（溶接電流、電圧、溶接速度、トーチ揺動幅、揺動端部停止時間等）の補正量を求めて、これらを基準溶接条件に加えて溶接をフィードフォワード制御する（ステップ１０４〜１１４）。
【００４３】
図４に、複合センシングシステムをレーザセンサとして使用した時に撮影したＶ型開先のレーザセンサ光切断像の模式図を示す。一般に、このときのカメラ３６の視野には、溶接アーク２５が入らないで、レーザスリット光３０Ｓの切断像のみの方が画像処理は易しい。従って、レーザスリット光３０Ｓの照射位置は、アーク前方より２０ｍｍ以上離れた場所を選ぶことが望ましい。
【００４４】
このＶ型開先のレーザ光切断像を画像処理装置３８で画像処理すれば、まず５つの特異点ＳＰ１〜ＳＰ５を見出せる。ここで、ＳＰ１は左側板の開先上端点、ＳＰ２は右側板の開先上端点、ＳＰ３は左側板の開先下端点、ＳＰ４は右側板の開先下端点、ＳＰ５は裏当て中央点である。そして、これらの特異点より、特徴量ＳＶ１〜ＳＶ８を求めることができる。ここで、ＳＶ１は開先幅、ＳＶ２はルートギャップ、ＳＶ３は目違い、ＳＶ４とＳＶ５はそれぞれ裏当ての左右の隙間、ＳＶ６とＳＶ７はそれぞれ左右の板厚、ＳＶ８は開先深さを表わす。更に、ＳＰ１とＳＰ２あるいはＳＰ３とＳＰ４より開先の中心位置が求められ、又、ＳＰ１〜ＳＰ５より開先の断面積を求めることも可能である。
【００４５】
一方、開先内の仮付けビード部のレーザ光切断像の模式図は、図５で表せる。ここでも、同様に５つの特異点ＳＰ１〜ＳＰ５が求められる。従って、これらから特徴量ＳＶ１〜ＳＶ８を求めて、仮付けビードの無い開先の特徴量と比較すれば、仮付けビードの有無が分かる。例えば、開先深さＳＶ８が板厚よりも短いことが、仮付けビード部の特徴の１つである。
【００４６】
複合センシングシステムをレーザセンサとして得た開先幅とルートギャップの中心位置データに基づいて、溶接トーチ２２の開先倣いも勿論行えるが、その倣い制御の実際ずれを、更に複合センシングシステムを視覚センサとして得た情報に基づき修正する。
【００４７】
複合センシングシステムを視覚センサとして使用するときには、図２に示した如く、先ず複合センシングシステム制御装置５２によりスライダ４２を図の左方に後退させて、揺動端部に到着した溶接トーチ２２をカメラ３６が見込む位置にする。同時にフィルタセット３１も９０°逆回転して、視覚センサ用フィルタ３４をカメラ３６の前に設置する。これで複合センシングシステムは視覚センサとなり、このタイミングでカメラ３６を撮影させれば、溶融池とワイヤ画像等が撮れる（図３のステップ１２２〜１２８）。
【００４８】
撮れた溶融池画像とワイヤ画像の処理方法は、例えば、特許文献２乃至４に記載した方法を用いることができる。即ち、特許文献２に記載したように、図６に示す如く、視覚センサで被溶接物１０の溶融池１２とその近傍を撮影し、撮影した画像から溶融池１２の輪郭１３を抽出し、抽出した輪郭１３から溶融池１２の左端点ＬＰと右端点ＲＰ及び溶融池１２先端の左端点ＦＬＰと右端点ＦＲＰの４箇所の特異点を抽出する。抽出した４箇所の特異点で構成された四角形１４の２本の対角線Ｌ１、Ｌ２の長さの差を算出し、算出した２本の対角線の長さの差ΔＬから溶接線に対する電極２４の倣い位置ずれの有無と倣い位置ずれ方向及び倣い位置ずれ量を算出し、算出した電極２４の位置ずれ量と倣い位置ずれ方向に基づいて、溶接トーチ２２の位置を制御する（ステップ１３０）。これにより高精度な溶接線倣い制御を行なうことができる。
【００４９】
あるいは、特許文献３に記載したように、図７に示す如く、被溶接物１０の溶融池１２とその近傍を視覚センサで撮影し、撮影した画像から溶融池の輪郭１３を抽出し、抽出した輪郭１３から溶融池先端の左端点ＦＬＰと右端点ＦＲＰを抽出する。抽出した溶融池先端の左端点ＦＬＰと右端点ＦＲＰの座標から溶融池先端部幅Ｗを算出し、算出した溶融池先端部幅Ｗｏによりルートギャップの変化量ΔＷを算出する。算出したルートギャップの変化量ΔＷに基づいて、トーチ揺動幅の制御量Ｗｔと溶接速度の制御量Ｖｗを算出し、算出したトーチ揺動幅Ｗｔと溶接速度の制御量Ｖｗで揺動幅と溶接速度を制御する（ステップ１３０）。これにより、ＴＩＧ溶接かＧＭＡ溶接かを問わず、ルートギャップや裏当て隙間や目違いが変わっても、良好な裏ビード形状とビード品質を安定して得ることができる。
【００５０】
あるいは、特許文献４に記載したように、図８に示す如く、視覚センサで撮影した被溶接物１０の溶融池１２及びその近傍の画像からトーチ揺動の左右端部の画像１６Ｒ、１６Ｌを抽出し、抽出した左右端部の画像１６Ｒ、１６Ｌを合成して仮想溶融池画像１２´を有する合成画像１８を作成し、仮想溶融池画像１２´の左端点ＬＰと右端点ＲＰとの間の距離を揺動幅特徴量として算出して開先幅変動に対するトーチ揺動パターンの追従（適応）制御を適切に行なう。又、電極画像２４の先端中心点ＷＰから仮想溶融池画像１２´の左端点ＬＰと右端点ＲＰの中央点までの距離を揺動中心特徴量として算出し、算出した揺動中心特徴量を用いて開先中心線倣い制御を適切に行なう（ステップ１３０）。図において、１１´は仮想的な開先である。これにより、ルートギャップや裏当て隙間や目違いが変わっても良好なビード形状とビード品質を安定して得ることができる。
【００５１】
図９に、レーザセンサと視覚センサのそれぞれの情報に基づく溶接制御方法の例を示す。
【００５２】
ここで、溶接の制御は、まず、レーザセンサ情報に基づきフィードフォワード的な方法で行なう。制御は、主として溶接条件の適応制御である。つまり、レーザセンサから得た開先内に仮付けビードの有無や開先幅、開先深さ及びルートギャップ等の大きさより溶接条件（溶接電流、電圧、溶接速度、トーチ揺動幅、揺動端部停止時間等）の補正量を求めて、これらを基準溶接条件に加えて溶接をフィードフォワード制御する。
【００５３】
溶接トーチの開先倣いも勿論、レーザセンサから得た開先幅とルートギャップの中心位置データに基づいて行なえるが、その倣い制御の実際のずれは、更に複合センシングシステムを視覚センサとして得た情報に基づいてフィードバックで修正する。
【００５４】
視覚センサは、主として溶接トーチの開先倣い制御に使用する。但し、初層溶接のときに、裏当て隙間の変動やその隙間に入り込んだ溶接溶融金属量の変化等があるため、単に溶接前にレーザセンサから得たデータ情報に基づくティーチングプレーバックデータによるフィードフォワード制御だけでは、高品質な初層溶接ビードを維持するのには難しい場合もある。従って、視覚センサから得た初層溶接時の溶融池の高さ（特許文献３及び特許文献４参照）に基づき、溶着量の追加的な補正量を求めて、フィードフォワード制御に加えてフィードバック制御を行なう。
【００５５】
又、非常時には、手元のリモコン２８により手動制御も行なえる。例えば緊急停止とか、あるいはモニタから制御のずれを発見したときに、インプロセスで手動修正を行なうこともできる。
【００５６】
以上の複合センシングシステムに基づく溶接制御を実施した結果、溶接プロセスの全自動化を実現することができると同時に、実際の開先形状が標準形状から大きく乖離しても、例えば鋼鈑裏当てを付けた開先の場合、ルートギャップの変動が２ｍｍ〜１２ｍｍであり、又、仮付けビードの有無に関わらず、均一且つ高品質な溶接ビードが得られることが確認できた。
【００５７】
本実施形態においては、画像カメラ３６をスライダ４２の先端に固定し、視覚センサ使用時とレーザセンサ使用時にその位置を梁４０上でスライドして変化させるようにしたので、画像撮影カメラ３６は固定焦点でよく、高精度の測定が可能である。なお、レーザセンサと視覚センサを入れ換える方法は、スライダを用いた方法に限定されず、画像撮影カメラ３６の角度を変更可能として、画像撮影カメラ３６がレーザ投光器の投光位置と溶接トーチの溶接位置を選択的に撮影できるようにすることも可能である。この場合には、撮影位置と画像撮影カメラ３６間の距離が変化するので、可変焦点とすることが望ましい。
【００５８】
又、前記実施形態においては、サイコロフィルタセットを用いていたが、レーザセンサ用フィルタと視覚センサ用フィルタを入れ換える方法も、これに限定されない。
【図面の簡単な説明】
【００５９】
【図１】本発明の実施形態をレーザセンサとして使用する状態を示す斜視図
【図２】同じく視覚センサとして使用する状態を示す斜視図
【図３】前記実施形態の処理手順を示す流れ図
【図４】前記実施形態におけるＶ型開先のレーザ光切断像の模式図
【図５】同じく仮付けビード部のレーザ光切断像の模式図
【図６】同じく溶接制御の一例を示す図
【図７】同じく溶接制御の他の例を示す図
【図８】同じく溶接制御の更に他の例を示す図
【図９】前記実施形態における溶接制御の方法を示す図
【符号の説明】
【００６０】
１０…被溶接物
１１、１１´…開先
１２、１２´…溶融池
２０…溶接ヘッド
２２…溶接トーチ
２４…溶接電極
２６…溶接条件制御装置
３０…レーザ投光器
３０Ｓ…照明用レーザスリット光
３１…サイコロフィルタセット
３２…レーザセンサ用フィルタ
３４…視覚センサ用フィルタ
３６…画像撮影カメラ
３８…画像処理装置
４０…梁
４２…スライダ
５２…複合センシングシステム制御装置
【図１】
2009195977.tif 000003
【図２】
2009195977.tif 000004
【図３】
2009195977.tif 000005
【図４】
2009195977.tif 000006
【図５】
2009195977.tif 000007
【図６】
2009195977.tif 000008
【図７】
2009195977.tif 000009
【図８】
2009195977.tif 000010
【図９】
2009195977.tif 000011